(57)【要約】      （修正有）【課題】画面構成、能力の異なる端末グループへのデータ配信を可能とする。【解決手段】  PoCサーバ及びプレゼンスサーバ、GLMサーバ、端末を利用してPoC(Push to talk over cellular)を実現する環境において、端末Sがプレゼンス情報に加え画面解像度、画面発色数、Java機能の有無、受信可能データサイズなどの端末スペック情報をプレゼンスサーバPに通知し、PoCサーバTへ情報を送る。情報を得たPoCサーバTは配信データを加工する。このとき、グループ内の全端末に適したデータを提供できるようにデータを縮小・圧縮・フォーマット変換を行う。【選択図】図１
2006279715.tif 000002
【特許請求の範囲】
【請求項１】
同報通信システムであって、
同一グループの全ての端末のスペック情報に基づいて、加工情報を生成する加工情報生成手段と、
前記生成された加工情報に基づいて受信データを加工する加工手段と、
前記加工された受信データを、前記同一グループの端末に送信する送信手段と
を有することを特徴とする同報通信システム。
【請求項２】
前記加工情報生成手段は、前記同一グループの全ての端末の表示画面解像度及び発色数に基づいて加工情報を生成する手段であることを特徴とする請求項１に記載の同報通信システム。
【請求項３】
前記加工手段は、前記受信データの送信元である端末が参加しているグループの加工情報に基づいて、前記受信データを加工する加工手段であることを特徴とする請求項１または請求項２に記載の同報通信システム。
【請求項４】
前記加工情報生成手段は、前記端末から送信されるスペック情報に基づいて加工情報を生成し、新しいスペック情報を受信する度にデータ加工法情報を生成する手段であることを特徴とする請求項１から３のいずれかに記載の同報通信システム。
【請求項５】
サーバであって、
同一グループの全ての端末のスペック情報に基づいて生成された加工情報に基づいて受信データを加工する加工手段と、
前記加工された受信データを、前記同一グループの端末に送信する送信手段と
を有することを特徴とするサーバ。
【請求項６】
前記加工情報生成手段は、前記同一グループの全ての端末の表示画面解像度及び発色数に基づいて加工情報を生成する手段であることを特徴とする請求項５に記載のサーバ。
【請求項７】
前記加工手段は、前記受信データの送信元である端末が参加しているグループの加工情報に基づいて、前記受信データを加工する加工手段であることを特徴とする請求項５または請求項６に記載のサーバ。
【請求項８】
受信データを加工して、同一グループの端末に同報送信するシステムのサーバであって、
前記端末から送信されるスペック情報を受信する受信手段と、
前記受信した同一グループの全ての端末のスペック情報に基づいて、加工情報を生成する加工情報生成手段と
を有することを特徴とするサーバ。
【請求項９】
前記加工情報生成手段は、新しいスペック情報を受信する度にデータ加工法情報を生成する手段であることを特徴とする請求項８に記載のサーバ。
【請求項１０】
同報通信方法であって、
同一グループの全ての端末のスペック情報に基づいて、加工情報を生成する加工情報生成ステップと、
前記生成された加工情報に基づいて受信データを加工する加工ステップと、
前記加工された受信データを、前記同一グループの端末に送信する送信ステップと
を有することを特徴とする同報通信方法。
【請求項１１】
前記加工情報生成ステップは、前記同一グループの全ての端末の表示画面解像度及び発色数に基づいて加工情報を生成するステップであることを特徴とする請求項１０に記載の同報通信方法。
【請求項１２】
前記加工ステップは、前記受信データの送信元である端末が参加しているグループの加工情報に基づいて、前記受信データを加工する加工ステップであることを特徴とする請求項１０または請求項１１に記載の同報通信方法。
【請求項１３】
前記加工情報生成ステップは、前記端末から送信されるスペック情報に基づいて加工情報を生成し、新しいスペック情報を受信する度にデータ加工法情報を生成するステップであることを特徴とする請求項１０から１２のいずれかに記載の同報通信方法。
【請求項１４】
同報通信システムのプログラムであって、前記プログラムは前記同報通信システムを、
同一グループの全ての端末のスペック情報に基づいて、加工情報を生成する加工情報生成手段と、
前記生成された加工情報に基づいて受信データを加工する加工手段と、
前記加工された受信データを、前記同一グループの端末に送信する送信手段と
して機能させることを特徴とするプログラム。
【請求項１５】
サーバのプログラムであって、前記プログラムは前記サーバを、
同一グループの全ての端末のスペック情報に基づいて生成された加工情報に基づいて受信データを加工する加工手段と、
前記加工された送信データを、前記同一グループの端末に送信する送信手段と
して機能させることを特徴とするプログラム。
【請求項１６】
受信データを加工して、同一グループの端末に同報送信するシステムのサーバのプログラムであって、前記プログラムは前記サーバを、
前記端末から送信されるスペック情報を受信する受信手段と、
前記受信した同一グループの全ての端末のスペック情報に基づいて、加工情報を生成する加工情報生成手段と
して機能させることを特徴とするプログラム。
【発明の詳細な説明】
【技術分野】
【０００１】
本発明は、データを同報送信する技術に関し、特に、配信先の端末スペックに合わせたデータを同報送信する技術に関する。
【背景技術】
【０００２】
同一グループに参加している端末に対してデータを同報送信する技術が幾つか提案されている（例えば、特許文献１）。
【０００３】
しかしながら、従来の同報送信の技術では、同一グループに参加している端末のスペックを考慮してデータを送信する構成をとっていないため、データを受信しても表示することが出来ない端末がある可能性があった。
【０００４】
一方で、端末の再生能力に応じた画像を送信する技術もいくつか提案されている（例えば、特許文献２）。
【０００５】
しかしながら、この技術では、サーバに各種端末の再生能力に応じたデータを蓄積させておき、アクセスしてきた端末の再生能力にあったデータを検索して送信しているため、ある端末から受信したデータを同一グループの全端末の再生能力に応じたデータに加工して同報送信することができない。
【特許文献１】特表２００３−５２６２７５号公報
【特許文献２】特開２００３−３１９３６５号公報
【発明の開示】
【発明が解決しようとする課題】
【０００６】
そこで、本発明が解決しようとする課題は、上記問題点を解決することであって、配信先の端末スペックに合わせたデータを配信する技術を提供することにある。
【０００７】
更に、端末に画像を加工する機能が無くても配信先の端末スペックに合わせたデータを配信できる技術を提供することにある。
【０００８】
また、グループ内の全端末のスペック情報をサーバで管理し、最低スペックに合わせたデータへ自動的に加工して配信する技術を提供することにある。
【０００９】
また、グループ内の全端末のスペック情報をサーバで管理し、各端末スペックに最適なデータに自動的に加工して配信する技術を提供することにある。
【課題を解決するための手段】
【００１０】
上記課題を解決するための第１の発明は、
同報通信システムであって、
同一グループの全ての端末のスペック情報に基づいて、加工情報を生成する加工情報生成手段と、
前記生成された加工情報に基づいて受信データを加工する加工手段と、
前記加工された受信データを、前記同一グループの端末に送信する送信手段と
を有することを特徴とする。
【００１１】
上記課題を解決するための第２の発明は、上記第１の発明において、
前記加工情報生成手段は、前記同一グループの全ての端末の表示画面解像度及び発色数に基づいて加工情報を生成する手段であることを特徴とする。
【００１２】
上記課題を解決するための第３の発明は、上記第１または第２の発明において、
前記加工手段は、前記受信データの送信元である端末が参加しているグループの加工情報に基づいて、前記受信データを加工する加工手段であることを特徴とする。
【００１３】
上記課題を解決するための第４の発明は、上記第１から第３の発明のいずれかにおいて、
前記加工情報生成手段は、前記端末から送信されるスペック情報に基づいて加工情報を生成し、新しいスペック情報を受信する度にデータ加工法情報を生成する手段であることを特徴とする。
【００１４】
上記課題を解決するための第５の発明は、
サーバであって、
同一グループの全ての端末のスペック情報に基づいて生成された加工情報に基づいて受信データを加工する加工手段と、
前記加工された受信データを、前記同一グループの端末に送信する送信手段と
を有することを特徴とする。
【００１５】
上記課題を解決するための第６の発明は、上記第５の発明において、
前記加工情報生成手段は、前記同一グループの全ての端末の表示画面解像度及び発色数に基づいて加工情報を生成する手段であることを特徴とする。
【００１６】
上記課題を解決するための第７の発明は上記第５または第６の発明において、
前記加工手段は、前記受信データの送信元である端末が参加しているグループの加工情報に基づいて、前記受信データを加工する加工手段であることを特徴とする。
【００１７】
上記課題を解決するための第８の発明は、
受信データを加工して、同一グループの端末に同報送信するシステムのサーバであって、
前記端末から送信されるスペック情報を受信する受信手段と、
前記受信した同一グループの全ての端末のスペック情報に基づいて、加工情報を生成する加工情報生成手段と
を有することを特徴とする。
【００１８】
上記課題を解決するための第９の発明は、上記第８の発明において、
前記加工情報生成手段は、新しいスペック情報を受信する度にデータ加工法情報を生成する手段であることを特徴とする。
【００１９】
上記課題を解決するための第１０の発明は、
同報通信方法であって、
同一グループの全ての端末のスペック情報に基づいて、加工情報を生成する加工情報生成ステップと、
前記生成された加工情報に基づいて受信データを加工する加工ステップと、
前記加工された受信データを、前記同一グループの端末に送信する送信ステップと
を有することを特徴とする。
【００２０】
上記課題を解決するための第１１の発明は、上記第１０の発明において、
前記加工情報生成ステップは、前記同一グループの全ての端末の表示画面解像度及び発色数に基づいて加工情報を生成するステップであることを特徴とする。
【００２１】
上記課題を解決するための第１２の発明は、上記第１０または第１１の発明において、
前記加工ステップは、前記受信データの送信元である端末が参加しているグループの加工情報に基づいて、前記受信データを加工する加工ステップであることを特徴とする。
【００２２】
上記課題を解決するための第１３の発明は、上記第１０から第１２のいずれかの発明において、
前記加工情報生成ステップは、前記端末から送信されるスペック情報に基づいて加工情報を生成し、新しいスペック情報を受信する度にデータ加工法情報を生成するステップであることを特徴とする。
【００２３】
上記課題を解決するための第１４の発明は、
同報通信システムのプログラムであって、前記プログラムは前記同報通信システムを、
同一グループの全ての端末のスペック情報に基づいて、加工情報を生成する加工情報生成手段と、
前記生成された加工情報に基づいて受信データを加工する加工手段と、
前記加工された受信データを、前記同一グループの端末に送信する送信手段と
して機能させることを特徴とする。
【００２４】
上記課題を解決するための第１５の発明は、
サーバのプログラムであって、前記プログラムは前記サーバを、
同一グループの全ての端末のスペック情報に基づいて生成された加工情報に基づいて受信データを加工する加工手段と、
前記加工された送信データを、前記同一グループの端末に送信する送信手段と
して機能させることを特徴とする。
【００２５】
上記課題を解決するための第１６の発明は、
受信データを加工して、同一グループの端末に同報送信するシステムのサーバのプログラムであって、前記プログラムは前記サーバを、
前記端末から送信されるスペック情報を受信する受信手段と、
前記受信した同一グループの全ての端末のスペック情報に基づいて、加工情報を生成する加工情報生成手段と
して機能させることを特徴とする。
【００２６】
図１のようなPoCサーバT及びプレゼンスサーバP、GLMサーバG、端末Sを利用してPoC(Push
to talk over cellular)を実現する環境において、端末Sがプレゼンス情報に加え画面解像度、画面発色数、Java（登録商）機能の有無、受信可能データサイズなどの端末スペック情報をプレゼンスサーバPに通知し、PoCサーバTへ情報を送る。情報を得たPoCサーバTは配信データを加工する。このとき、グループ内の全端末に適したデータを提供できるようにデータを縮小・圧縮・フォーマット変換を行う。
【００２７】
これにより、システム上で自動加工を行い、グループ内に最適なデータを配信できることを特徴とするシステムである。
【発明の効果】
【００２８】
本発明によると、PoCサーバでデータを加工するため、端末に画像加工機能が無くても配信先の端末スペックに合わせたデータを配信できる。
【００２９】
更に、本発明によると、プレゼンスサーバPが端末スペック情報を管理し、データの加工をPoCサーバで行うため、既存のシステムを流用できる。
【００３０】
また、本発明によると、グループ内の全端末のスペック情報をサーバで管理し、最低スペックに合わせたデータへ自動的に加工して配信することができる。
【００３１】
また、本発明によると、グループ内の全端末のスペック情報をサーバで管理し、各端末スペックに最適なデータに自動的に加工して配信することができる。
【発明を実施するための最良の形態】
【００３２】
本発明の第１の実施の形態について説明する。
【００３３】
図１は、本発明の同報システムの概要図である。
【００３４】
本発明の同報システムは、PoC（Ｐｕｓｈ  ｔｏ  ｔａｌｋ  ｏｖｅｒ  ｃｅｌｌｕｌａｒ）システムを制御するPoCサーバT、プレゼンス情報を管理するプレゼンスサーバP、グループ情報を管理するGLMサーバGを有することによってPoCを実現する環境である。
【００３５】
PoCを利用することが可能な端末1〜Nはそれぞれの端末スペック情報をプレゼンスサーバPに通知する機能を有する。端末１〜Nはグループのメンバとなる際に各々の端末スペック情報をプレゼンス情報とともにプレゼンスサーバＰに通知する。尚、プレゼンス情報は、各端末の状態を示す情報である。また、スペック情報は、端末の表示画面の解像度、発色数、受信可能最大データサイズ、アプリケーション対応状況等である。
【００３６】
プレゼンスサーバPは各端末1〜Nから送信される各端末スペック情報を受信してメモリPに保存し、グループA内の全端末で利用可能なデータへの変換方法(データ加工法情報C)をPoCサーバTに通知する機能を持っている。データ加工法情報Cは例えば、アル端末の最低スペックが白黒のLCDであるのに対して送信画像がカラー画像である場合に、送信画像をカラー画像から白黒画像へと変換するという加工の指示を示す情報である。
【００３７】
更に、プレゼンスサーバPはプレゼンス情報を常に監視し、グループAのプレゼンス情報に更新があった場合、即ち新しいスペック情報を受信した場合には、グループAに参加している端末スペック情報からデータ加工法情報Cを逐次作成・更新し、PoCサーバTに通知する。
【００３８】
PoCサーバＴはプレゼンスサーバＰからのデータ加工法情報を受けて、端末1〜Nから送信された同報データを受信し、このデータの送信元である端末が参加しているグループの加工情報に基づいて、受信データを加工する機能を持っている。更に、加工したデータを、データの送信元である端末以外の、同一グループに参加している端末に送信する。
【００３９】
続いて、第１の実施の形態の動作について説明する。
【００４０】
図2〜5を参照して本実施例の動作について詳細に説明する。
【００４１】
図2において端末1はプレゼンス情報と端末1のスペック情報をプレゼンスサーバPに通知し、グループAに参加する。
【００４２】
プレゼンスサーバPは端末スペック情報をプレゼンスサーバP内のメモリPに格納するが、現在の状態ではグループAには他にメンバがいないため、データ加工法情報Cは作成しない。
【００４３】
図3を参照する。
【００４４】
端末NがプレゼンスサーバPにプレゼンス情報と端末Nのスペック情報とを通知し、グループAに参加すると、プレゼンスサーバPはグループ内全端末のスペック情報に加え端末Nのスペック情報をメモリPに追記する。
【００４５】
プレゼンスサーバPはメモリPに格納されている全端末スペック情報から最低スペックを算出する。算出した最低スペックに基づいて、全ての端末で表示できるデータに加工するためのデータ加工法情報Cを作成してPoCサーバTに通知する。PoCサーバTはデータ加工法情報Cに従いグループ内の端末から送信された同報データである画像データを加工し、配信画像データを作成することになる。
【００４６】
図4を参照すると、端末Nが画像データをPoCサーバTに送信する。PoCサーバTは端末Nから送信された画像データをデータ加工法情報Cに従い加工して画像配信データNを作成し、グループA内の端末Nを除く全端末に配信する。
【００４７】
次に、図5を参照しながらPoCでの画像データの同報通信のフローについて詳細に説明する。
【００４８】
端末NはグループAへの参加する（ステップ5-1）。
【００４９】
端末NはプレゼンスサーバPにプレゼンス情報に加え端末Nのスペック情報を通知する（ステップ5-2）。
【００５０】
プレゼンスサーバPはメモリP内のプレゼンス情報を更新する（ステップ5-3）。
【００５１】
プレゼンスサーバPは端末Nのスペック情報をメモリPに格納し、処理5-5へ移行する（ステップ5-4）。
【００５２】
グループAに参加している端末数をカウントする（ステップ5-5）。端末数が2以上の場合はステップ5-6へ、端末数が1の場合は処理を終了し、新規に端末が参加するまで待機する。
【００５３】
プレゼンスサーバPはグループAに参加している全端末スペック情報から画面解像度の最小幅Wmin
pixelと最小高Hmin pixelを算出する（ステップ5-6）。
【００５４】
プレゼンスサーバPはグループAに参加している全端末スペック情報からLCD発色数の最小値Rminを算出する（ステップ5-7）。
【００５５】
ステップ5-6及びステップ5-7で得た情報を合わせ、最低スペックを定義する（ステップ5-8）。
【００５６】
画面解像度が最小幅Wmin pixel及び最小高Hmin
pixelであり、且つ発色数の最小値Rmin色であるLCDで表示できるよう、画像の縦横比を変えずに圧縮し、減色するためのデータ加工法情報Cを作成する（ステップ5-9）。
【００５７】
プレゼンスサーバPはデータ加工法情報CをPoCサーバTに通知する（ステップ5-10）。
【００５８】
グループAに参加している端末からPoCサーバTに画像データが送信されたかを確認する（ステップ5-11）。画像データが端末からPoCサーバTに送信された場合にはステップ5-12へ移行し、画像データが端末からPoCサーバTに送信されなければ処理を終了する。
【００５９】
PoCサーバTはデータ加工法情報Cに従い画像データを自動で加工し、配信画像データNを作成する（ステップ5-12）。
【００６０】
PoCサーバTは加工した配信画像データNをグループA内の端末Nを除く全端末に配信する（ステップ5-13）。
【００６１】
プレゼンスサーバPがグループ内の端末が退出をした場合には、ステップ5-5から処理を行う。
【００６２】
続いて、データ加工法情報Cを用いてPoCサーバTが画像を配信するフローについて図6を参照して説明する。
【００６３】
グループA内の端末から画像データが送信される（ステップ6-1）。
【００６４】
PoCサーバTはプレゼンスサーバPから受け取った情報を元に、最低スペックに適合するデータの作成準備を開始する（ステップ6-2）。
【００６５】
送信された画像データの解像度が最低スペックより大きいかを判定する（ステップ6-3）。大きければ巣えっプ6-4へ移行し、小さければステップ6-5へ移行する。
【００６６】
PoCサーバTは、最小幅Wmin pixelと最小高Hmin
pixelに収まるよう縦横比を変えずに送信画像を縮小する（ステップ6-4）。
【００６７】
画像データの色が最小値Rmin色以上であるかを判定する（ステップ6-5）。画像データの色が最小値Rmin色以上であればステップ6-6へ移行し、Rmin色以下であればでステップ6-7へ移行する。
【００６８】
PoCサーバTは送信画像の色をRmin色に減色する（ステップ6-6）。
【００６９】
PoCサーバTは最低スペックに適合するデータを作成する（ステップ6-7）。
【００７０】
PoCサーバTは加工画像データをグループA内の送信元端末を除く全端末に配信する（ステップ6-8）。
【００７１】
上述した本発明によると、PoCサーバでデータを加工するため、端末に画像加工機能が無くても配信先の端末スペックに合わせたデータを配信できる。
【００７２】
更に、本発明によると、プレゼンスサーバPが端末スペック情報を管理し、データの加工をPoCサーバで行うため、既存のシステムを流用できる。
【００７３】
また、本発明によると、グループ内の全端末のスペック情報をサーバで管理し、最低スペックに合わせたデータへ自動的に加工して配信することができる。
【００７４】
次に、本発明における第２の実施の形態について図面を参照して説明する。尚、上述した第１の実施の形態と同様の構成については同一の番号を付し、詳細な説明は省略する。
【００７５】
実施の形態1ではプレゼンスサーバが端末スペック情報から作成する画像加工法情報について最低スペックに合わせる実施の形態について説明した。第２の実施の形態では、図7のように各端末向けに最適なデータを作成する加工方法を定義したデータ加工法情報C'を作成する。これをPoCサーバTに通知することにより、図8のようにPoCサーバTは各端末スペックに合わせて加工した画像データを端末の数だけ作成し、各端末に配信する。
【００７６】
図9を参照しながら本実施例のフローについて説明する。
【００７７】
端末NはグループAへの参加する（ステップ9-1）。
【００７８】
端末NはプレゼンスサーバPにプレゼンス情報に加え端末Nのスペック情報を通知する（ステップ9-2）。
【００７９】
プレゼンスサーバPはメモリP内のプレゼンス情報を更新する（ステップ9-3）。
【００８０】
プレゼンスサーバPは端末Nのスペック情報をメモリPに格納する（ステップ9-4）。
【００８１】
グループAに参加している端末数をカウントし、端末数が2以上であるかを判定する（ステップ9-5）。端末数が2以上の場合はステップ9-6へ、端末数が1の場合は処理を終了し、新規に端末が参加するまで待機する。
【００８２】
プレゼンスサーバPはグループAに参加している各端末に対して画像解像度、発色数を合わせるためのデータ加工法情報C’を作成する（ステップ9-6）。
【００８３】
プレゼンスサーバPはデータ加工法情報C’をPoCサーバTに通知する（ステップ9-7）。
【００８４】
グループAに参加している端末からPoCサーバTに画像データが送信され、グループA内の端末へ配信要求があるか否かを確認する（ステップ9-8）。ある場合にはステップ9-9へ移行し、画像データの配信要求が無ければ処理を終了する。
【００８５】
PoCサーバTはデータ加工法情報C’に従い、各端末で適切に表示できる画像データに加工し、配信画像データ1〜Mを作成する（ステップ9-9）。
【００８６】
PoCサーバTは各端末向けに加工された配信画像データ1〜Mを対応する各端末に配信する（ステップ9-10）。
【００８７】
プレゼンスサーバPがグループ内の端末が退出をした場合には、ステップ9-5から処理を行う。
【００８８】
続いて、データ加工法情報C’を用いてPoCサーバTが各端末向けに加工した画像を配信するフローについて図10を参照して説明する。
【００８９】
グループA内の端末から画像データが送信される（ステップ10-1）。
【００９０】
全配信データの準備が完了しているか否かを確認する（ステップ10-2）。準備が干渉指定ればスえっぷ10-10へ移行し、全配信データの準備が完了していなければステップ10-3へ移行する。
【００９１】
PoCサーバTは端末n用の準備を開始する（ステップ10-3）。
【００９２】
画像データが端末nのLCD解像度よりも大きいか否かを判定する（ステップ10-4）。大きい場合はステップ10-5へ、端末nのLCD解像度よりも小さいときはステップ10-6へ移行する。
【００９３】
端末nのLCD解像度に収まるよう縦横比を変えずに縮小する（ステップ10-5）。
【００９４】
画像データの色数が端末nのLCD発色数より多いか否かを判定する（ステップ10-6）。多い場合はステップ10-7へ移行し、多くない場合はステップ10-8へ移行する。
【００９５】
PoCサーバTは端末nの発色数Rn色に減色する（ステップ10-7）。
【００９６】
PoCサーバTは端末nに適合するデータの作成する（ステップ10-8）。
【００９７】
全ての端末に対して送信するための代数ｎに１を加算して、ステップ10-2へ移行する。ステップ10-2で、全配信データの準備が完了しているか否かを確認する。即ち、代数ｎの値がグループＡに参加している端末の台数と同一であるかを確認する。
【００９８】
ステップ10-10ではPoCサーバTは加工画像データ1〜MをグループA内の送信元端末を除く全端末に配信する。
【００９９】
上述した本発明によると、PoCサーバでデータを加工するため、端末に画像加工機能が無くても配信先の端末スペックに合わせたデータを配信できる。
【０１００】
更に、本発明によると、プレゼンスサーバPが端末スペック情報を管理し、データの加工をPoCサーバで行うため、既存のシステムを流用できる。
【０１０１】
また、本発明によると、グループ内の全端末のスペック情報をサーバで管理し、各端末スペックに最適なデータに自動的に加工して配信することができる。
【０１０２】
上述した実施の形態では画像データを用いて説明したが、これに限るものではない。例えば、アニメーション、動画等への適用も可能である。その場合、動画を発信し、サーバで動画を閲覧できない端末へは複数枚の画面切り出しを行い配信する構成をとる。
【図面の簡単な説明】
【０１０３】
【図１】図１は、本発明のシステムの概要を示すブロック図である。
【図２】図２は、第１の実施の形態を説明するための状態図である。
【図３】図３は、第１の実施の形態を説明するための状態図である。
【図４】図４は、第１の実施の形態を説明するための状態図である。
【図５】図５は、第１の実施の形態を説明するためのフローチャートである。
【図６】図６は、第１の実施の形態を説明するためのフローチャートである。
【図７】図７は、第２の実施の形態を説明するための状態図である。
【図８】図８は、第２の実施の形態を説明するための状態図である。
【図９】図９は、第２の実施の形態を説明するためのフローチャートである。
【図１０】図１０は、第２の実施の形態を説明するためのフローチャートである。
【符号の説明】
【０１０４】
Ｔ                Ｐｏｃサーバ
Ｓ                端末
Ｇ                ＧＬＭサーバ
Ｐ                プレゼンスサーバ
【図１】
2006279715.tif 000003
【図２】
2006279715.tif 000004
【図３】
2006279715.tif 000005
【図４】
2006279715.tif 000006
【図５】
2006279715.tif 000007
【図６】
2006279715.tif 000008
【図７】
2006279715.tif 000009
【図８】
2006279715.tif 000010
【図９】
2006279715.tif 000011
【図１０】
2006279715.tif 000012